(57)【要約】【課題】番組ジャンルに基づいてフルセグ放送受信とワンセグ放送受信を切り替えることにより効率よく消費電力を抑制する。【解決手段】デジタル放送受信装置は、ストリームに含まれるＥＩＴ（Event Information Table）を取得し、番組ジャンル情報を解析する番組ジャンル情報解析手段と、番組ジャンル毎にワンセグ／フルセグ受信種別が設定されている番組ジャンル別動作テーブルを記憶する手段と、前記番組ジャンル別動作テーブルから、前記番組ジャンル情報解析手段により解析された番組ジャンル情報に対応するワンセグ／フルセグ受信種別を取得し、現在のチューナの受信モードと合致するか判定し、合致しない場合、チューナの受信モードを切り替える受信動作判定手段と、を備える。【選択図】図１
2014165687.tif 000002
【特許請求の範囲】
【請求項１】
デジタル放送受信装置であって、
ストリームに含まれるＥＩＴ（Event Information Table）を取得し、番組ジャンル情報を解析する番組ジャンル情報解析手段と、
番組ジャンル毎にワンセグ／フルセグ受信種別が設定されている番組ジャンル別動作テーブルを記憶する手段と、
前記番組ジャンル別動作テーブルから、前記番組ジャンル情報解析手段により解析された番組ジャンル情報に対応するワンセグ／フルセグ受信種別を取得し、現在のチューナの受信モードと合致するか判定し、合致しない場合、チューナの受信モードを切り替える受信動作判定手段と、
を備えるデジタル放送受信装置。
【請求項２】
番組ジャンル毎に映像デコード部のＯＮ／ＯＦＦ制御情報が記録されている映像制御テーブルをさらに記憶する手段と、
前記映像制御テーブルから、前記番組ジャンル情報解析手段により解析された番組ジャンル情報に対応する映像デコード部のＯＮ／ＯＦＦ制御情報を取得し、当該ＯＮ／ＯＦＦ制御情報に基づいて、映像デコード部を制御する手段と、
を備える請求項１に記載のデジタル放送受信装置。
【請求項３】
番組ジャンル毎に音声デコード部のＯＮ／ＯＦＦ制御情報が記録されている音声制御テーブルをさらに記憶する手段と、
前記音声制御テーブルから、前記番組ジャンル情報解析手段により解析された番組ジャンル情報に対応する音声デコード部のＯＮ／ＯＦＦ制御情報を取得し、当該ＯＮ／ＯＦＦ制御情報に基づいて、音声デコード部を制御する手段と、
を備える請求項１又は請求項２に記載のデジタル放送受信装置。
【請求項４】
番組ジャンル毎にバックライト輝度が記録されているバックライト輝度制御テーブルをさらに記憶する手段と、
前記バックライト輝度制御テーブルから、前記番組ジャンル情報解析手段により解析された番組ジャンル情報に対応するバックライト輝度を取得し、当該バックライト輝度を設定する手段と、
を備える請求項１から請求項３のいずれかに記載のデジタル放送受信装置。
【請求項５】
番組ジャンル毎に高画質調整部のＯＮ／ＯＦＦ制御情報が記録されている画質制御テーブルをさらに記憶する手段と、
前記画質制御テーブルから、前記番組ジャンル情報解析手段により解析された番組ジャンル情報に対応する高画質調整部のＯＮ／ＯＦＦ制御情報を取得し、当該ＯＮ／ＯＦＦ制御情報に基づいて、高画質調整部を制御する手段と、
を備える請求項１から請求項４のいずれかに記載ののデジタル放送受信装置。
【請求項６】
番組ジャンル毎に音声効果調整部のＯＮ／ＯＦＦ制御情報が記録されている音声制御テーブルをさらに記憶する手段と、
前記音声制御テーブルから、前記番組ジャンル情報解析手段により解析された番組ジャンル情報に対応する音声効果調整部のＯＮ／ＯＦＦ制御情報を取得し、当該ＯＮ／ＯＦＦ制御情報に基づいて、音声効果調整部を制御する手段と、
を備える請求項１から請求項５のいずれかに記載のデジタル放送受信装置。
【請求項７】
デジタル放送受信方法であって、
ストリームに含まれるＥＩＴ（Event Information Table）を取得し、番組ジャンル情報を解析し、
番組ジャンル毎にワンセグ／フルセグ受信種別が設定されている番組ジャンル別動作テーブルから、前記解析された番組ジャンル情報に対応するワンセグ／フルセグ受信種別を取得して、現在のチューナの受信モードと合致するか判定し、
前記取得したワンセグ／フルセグ受信種別と、現在のチューナの受信モードと、が合致しない場合、チューナの受信モードを切り替える
デジタル放送受信方法。
【請求項８】
コンピュータに、
ストリームに含まれるＥＩＴ（Event Information Table）を取得し、番組ジャンル情報を解析する処理、
番組ジャンル毎にワンセグ／フルセグ受信種別が設定されている番組ジャンル別動作テーブルから、前記解析された番組ジャンル情報に対応するワンセグ／フルセグ受信種別を取得して、現在のチューナの受信モードと合致するか判定する処理、
前記取得したワンセグ／フルセグ受信種別と、現在のチューナの受信モードと、が合致しない場合、チューナの受信モードを切り替える処理、
を実行させるプログラム。
【発明の詳細な説明】
【技術分野】
【０００１】
本発明は、デジタル放送受信装置、方法及びプログラムに関する。
【背景技術】
【０００２】
地上デジタル放送は、１つの放送局に割り当てられた周波数帯を１３個のセグメントに分割し、そのうち１つのセグメントをワンセグ放送、残りの１２個のセグメントを使ってフルセグ放送を送出している。地上デジタル放送に関する規格は例えば非特許文献１に記載されている。
【０００３】
ワンセグ放送は、Ｈ．２６４により圧縮され、低ビットレートで低画質ではあるが、誤り訂正能力が高いＱＰＳＫ変調方式が用いられており、携帯電話、携帯端末等の移動体の受信に適している。フルセグ放送はＭＰＥＧ２により圧縮された高ビットレートで、誤り訂正能力が低い１６ＱＡＭ、６４ＱＡＭの変調方式が用いられているため、移動体の受信には適していないが、高画質、高音質の視聴が可能である。
【０００４】
従来の地上デジタル放送のフルセグならびにワンセグ放送が受信可能な受信装置において、１個の周波数帯を受信するワンセグ受信する場合と、１つの放送局に割り当てられた１３個の周波数帯を受信するフルセグ受信する場合のチューナ無線部の動作電流値を比べると、後者の広い周波数帯域を受信するほうが、無線部の消費電流が高いことが原理的に判明している。また放送局から出力されるストリーム情報量がワンセグ受信よりフルセグ受信のほうが多い為、映像デコード、音声デコード、放送用ブラウザを表示する受信装置のＣＰＵの演算処理量がフルセグ受信時のほうが多く、視聴時の消費電流がワンセグ受信時と比べてはるかに大きいことも原理的に判明している。
【０００５】
例えば、特許文献１には、バッテリの残量が閾値以下となったときに、フルセグ放送受信からワンセグ放送受信に切り替え、省電力化を図る技術が記載されている。また、特許文献２には、受信品質が良好なときにはフルセグ動作を行い、受信品質が不充分なときにはワンセグ動作を行い、広い受信エリアを確保する技術が記載されている。
【先行技術文献】
【非特許文献】
【０００６】
【非特許文献１】「地上デジタル放送の伝送方式  ＡＲＩＢ  ＳＴＤ-Ｂ３０  １．１版」，社団法人電波産業界，平成１３年５月３１日策定，平成１５年７月２９日  １．５改定
【特許文献】
【０００７】
【特許文献１】特開２００５−２５２５１２号公報
【特許文献２】特開２００５−２２３５４９号公報
【発明の概要】
【発明が解決しようとする課題】
【０００８】
しかしながら、上記のようにバッテリの残量や受信品質に基づいてフルセグ放送受信からワンセグ放送受信に切り替える構成では、携帯電話または携帯端末のバッテリの残量が十分の時ならびに受信品質が良好な場合には常にフルセグ放送で受信することになり、チューナの電流ならびに、チューナから出力されるストリームから、映像表示、音声出力までの復号動作の電流が常に大きくなる為、特に電池のもちを重要視する携帯電話や携帯端末への影響は大きい。
【０００９】
また、各放送番組のうち番組によっては高品質で視聴しなくてもよい番組があり、このような番組までもフルセグ放送で受信するのは省電力の観点から問題であった。
【００１０】
本発明は、上記問題点に鑑みてなされたもので、番組ジャンルに基づいてフルセグ放送受信とワンセグ放送受信を切り替えることにより効率よく消費電力を抑制するデジタル放送受信装置、方法及びプログラムを提供することを目的とする。
【課題を解決するための手段】
【００１１】
本発明は、デジタル放送受信装置であって、ストリームに含まれるＥＩＴ（Event Information Table）を取得し、番組ジャンル情報を解析する番組ジャンル情報解析手段と、番組ジャンル毎にワンセグ／フルセグ受信種別が設定されている番組ジャンル別動作テーブルを記憶する手段と、前記番組ジャンル別動作テーブルから、前記番組ジャンル情報解析手段により解析された番組ジャンル情報に対応するワンセグ／フルセグ受信種別を取得し、現在のチューナの受信モードと合致するか判定し、合致しない場合、チューナの受信モードを切り替える受信動作判定手段と、を備えるデジタル放送受信装置である。
【００１２】
本発明は、デジタル放送受信方法であって、ストリームに含まれるＥＩＴ（Event Information Table）を取得し、番組ジャンル情報を解析し、番組ジャンル毎にワンセグ／フルセグ受信種別が設定されている番組ジャンル別動作テーブルから、前記解析された番組ジャンル情報に対応するワンセグ／フルセグ受信種別を取得して、現在のチューナの受信モードと合致するか判定し、前記取得したワンセグ／フルセグ受信種別と、現在のチューナの受信モードと、が合致しない場合、チューナの受信モードを切り替えるデジタル放送受信方法である。
【００１３】
本発明は、コンピュータに、ストリームに含まれるＥＩＴ（Event Information Table）を取得し、番組ジャンル情報を解析する処理、番組ジャンル毎にワンセグ／フルセグ受信種別が設定されている番組ジャンル別動作テーブルから、前記解析された番組ジャンル情報に対応するワンセグ／フルセグ受信種別を取得して、現在のチューナの受信モードと合致するか判定する処理、前記取得したワンセグ／フルセグ受信種別と、現在のチューナの受信モードと、が合致しない場合、チューナの受信モードを切り替える処理、を実行させるプログラムである。
【発明の効果】
【００１４】
本発明によれば、番組ジャンルに基づいてフルセグ放送受信とワンセグ放送受信を切り替えることにより効率よく消費電力を抑制することができる。
【図面の簡単な説明】
【００１５】
【図１】図１は本発明の実施形態の構成を示す図である。
【図２】図２は地上デジタル放送の受信動作を説明するための図である。
【図３】図３はＥＩＴの構造を示した図である。
【図４】図４はＥＩＴに含まれるコンテント記述子の構造を説明するための図である。
【図５】図５はcontent_nibble_level1、content_nibble_level2の内容を示す図である。
【図６】図６は番組ジャンル別動作テーブルの内容を例示する図である。
【図７】図７は本発明の実施形態の動作フローチャートである。
【図８】図８は番組ジャンル情報別に映像デコード部のＯＮ／ＯＦＦ、音声デコード部のＯＮ／ＯＦＦが設定されたテーブルを例示する図である。
【図９】図９は本発明の他の実施例の構成を示す図である。
【図１０】図１０は番組ジャンル情報別にバックライト輝度が記録されたテーブルを例示する図である。
【発明を実施するための形態】
【００１６】
以下、本発明の実施形態について図面を参照して説明する。
【００１７】
本発明の実施形態に係るデジタル放送受信装置の構成を図１に示す。本発明の実施形態に係るデジタル放送受信装置１は、チューナ部１０１と制御部１０２と、ＣＰＵ１０３と、プログラムメモリ１０４と、ＲＡＭ１０５を備える。
【００１８】
チューナ部１０１は、内部的に同一電源で接続されているフルセグ受信部１０７とワンセグ受信部１０８を備える。制御部１０２内のチューナ制御部１０６によりフルセグ／ワンセグの受信種別と選局チャネルをチューナ部１０１に与えられると、フルセグ受信部１０７又はワンセグ受信部１０８は、選局動作ならびに地上デジタル放送信号から復調およびエラー訂正されたストリーム信号を出力するものである。
【００１９】
制御部１０２は、チューナ制御部１０６、ストリームＤＥＭＵＸ部１０９部、映像デコード部１１０、番組ジャンル情報解析部１１１、音声デコード部１１２、音声処理部１１３、表示処理部１１５、番組ジャンル別動作テーブル１１７、受信動作判定部１１８と、を備える。
【００２０】
ストリームＤＥＭＵＸ部１０９は、チューナ部１０１から出力されたストリームを、映像と音声とその他にＤＥＭＵＸして、映像デコード部１１０と音声デコード部１１２と番組ジャンル情報解析部１１１に振り分ける。
【００２１】
表示処理部１１５は、地上デジタル放送の映像と、受信機で表示するアンテナピクトや操作ガイダンス表示を合成して、表示部１１６に表示を行う。音声は音声処理部１１３にて音量が変更され、Ｄ／Ａ変換部１１４を経て、スピーカないしはヘッドセットに出力される。
【００２２】
チューナ制御部１０６は、ユーザにより指定されたフルセグ／ワンセグの受信種別と選局チャネルをチューナ部に通知する。チューナ制御部１０６からのフルセグ／ワンセグの受信種別と選局チャネルを元に、チューナ部１０１は、地上デジタル放送の受信動作を開始する。フルセグ受信時は、図２に示した１３セグメント（約５．５７ＭＨｚ）の帯域の全てを受信する。ワンセグ受信時は、１３セグメント中の真ん中の１セグメント（約４２９ＫＨｚ）の帯域のみの受信動作を行う。なお、ワンセグメント受信時は、Ａ階層受信のみとなり、映像、音声、その他の情報量が少なく低品質であるが誤り訂正能力が強いＱＰＳＫの変調方式の信号が一般的に受信される。フルセグメント受信時は、Ａ＋Ｂ階層もしくは、Ａ＋Ｂ＋Ｃ階層の受信となり、Ｂ階層もしくはＣ階層の映像、音声は高品質であるが、誤り訂正能力がＡ階層よりも弱い１６ＱＡＭないしは６４ＱＡＭの変調方式の信号が受信される。
【００２３】
次に、映像、音声の情報以外に送信される番組ジャンル情報について説明する。放送信号内には、映像、音声の他さまざまな情報が送出されているが、ＥＩＴ（Event Information Table）がおよそ１秒周期で送出される。ＥＩＴにはＨ−ＥＩＴ／Ｍ−ＥＩＴ／Ｌ−ＥＩＴという３種類があり、ワンセグメントの帯域にはＬ−ＥＩＴが送出されている。非特許文献１で規定されているＥＩＴの構造を図３に示す。これにより、概略として番組の名称、放送日時、内容の説明など番組に関する情報が取得できる。番組ジャンル情報はＥＩＴに含まれる、コンテント記述子（content_descrptor）内のContent_nibble_level_で判別できる。非特許文献１で規定されているcontent_descrptorの構造を図４に示す。この構造内の、content_nibble_level1の４bitがジャンル大分類を、content_nibble_level2の４bitがジャンル中分類を示している。
【００２４】
図５に、非特許文献１で規定されているcontent_nibble_level1、content_nibble_level2の内容（抜粋）を示す。番組ジャンル情報解析部１１１は、図４、図５に示す情報を用いて、ストリームＤＥＭＵＸ部１０９から振り分けられたＥＩＴについて番組ジャンル情報を解析する。
【００２５】
番組ジャンル別動作テーブル１１７は制御部１０２が備える記憶領域に記憶されている。番組ジャンル別動作テーブル１１７の内容を図６に例示する。図６では、content_nibble_level1で分類されるジャンル大分類の１６種類別に、フルセグで受信するかワンセグで受信するかを示すフルセグ／ワンセグ受信種別が設定されている。しかし、図６は一例であり、例えばcontent_nibble_level2の４bit（ジャンル中分類）も含めてさらに細かくフルセグ／ワンセグ受信種別を設定することも可能である。
【００２６】
受信動作判定部１１８は、番組ジャンル別動作テーブル１１７から、番組ジャンル情報解析部１１１により解析された番組ジャンル情報に対応するワンセグ／フルセグ受信種別を取得し、現在のチューナの受信モードと合致するか判定し、合致しない場合、チューナの受信モードの切り替えをチューナ制御部１０６に要求する。
【００２７】
次に本発明の実施形態に係るデジタル放送受信装置の動作フローチャートを図７に示す。
【００２８】
受信に際してユーザから指定されたフルセグ受信かワンセグ受信かの受信種別と選局チャネルに基づいて、チューナ１０１は選局を開始する（Ｓ７０２）。
【００２９】
制御部１０２は、チューナ１０１が同期確立するまで待機する（Ｓ７０３）。同期確立したらチューナ１０１は、受信したストリームを制御部１０２に入力し（Ｓ７０５）、ストリームＤＥＭＵＸ部１０９の動作を開始する（Ｓ７０６）。
【００３０】
ストリームには、ＰＩＤ（パケットＩＤ）という識別子が与えられており、この識別子が映像を示す場合は映像デコード処理を、音声を示す場合は音声デコード処理を行う（Ｓ７０７〜７１１）。ＰＩＤがＥＩＴでかつさらにＬ−ＥＩＴを示す場合は（Ｓ７０９）、content_nibble_level1の番組ジャンル情報を読み出して番組ジャンル別動作テーブル１１７と比較し、番組ジャンル別動作テーブル１１７において、content_nibble_level1から読み出した番組ジャンル情報に対応する受信種別を取得する（Ｓ７１２）。そして、取得したフルセグ／ワンセグ受信種別が、現在のチューナ１０１の受信モードのフルセグ／ワンセグ受信種別と合致するかを判別し、受信種別が異なる場合には、Ｌ−ＥＩＴから取得したフルセグ／ワンセグ受信種別に合わせて、チューナ１０１に指定されるフルセグ受信ないしはワンセグ受信の受信動作を切り替えることで他方の受信部の電源をＯＦＦする。
【００３１】
以上説明したように、本発明では、地上デジタル放送中に含まれる番組ジャンル情報を入手し、その情報によって、例えばニュースであればワンセグ受信にし、映画であればフルセグ受信に自動的に切り替えることで、チューナの動作電流、制御部の電流、映像／音声デコードやＣＰＵの演算処理電流を制御することができる。これにより、地上デジタル放送受信装置の消費電力を抑えながら、好適にテレビジョンデータを視聴することが可能となる。
【００３２】
本発明の他の実施例として、図８に例示するような、番組ジャンル情報別に映像デコード部のＯＮ／ＯＦＦや音声デコード部のＯＮ／ＯＦＦが設定されたテーブルを記憶しておき、制御部１０２が、受信した番組ジャンル情報別に映像デコード部１１０のＯＮ／ＯＦＦや、音声デコード部１１２のＯＮ／ＯＦＦを変更する。これにより、ユーザが所望する番組ジャンル別に映像／音声デコード部の演算処理のＯＮ／ＯＦＦ制御が可能となり、番組ジャンル別に細やかに消費電流の調整が可能となる。
【００３３】
また本発明の他の実施例として、図９に示すように制御部１０２内に映像デコード部１１０と表示処理部１１５の間に、高画質化処理を行う高画質調整部１２０を設け、さらに音声デコード部１１２と音声処理部１１３の間に、高音質化処理を行う音声効果調整部１２１を設け、番組ジャンル情報別に高画質調整部１２０をＯＮするかＯＦＦするかと音声効果調整部１２１をＯＮするかＯＦＦするかが設定されたテーブルを記憶しておき、制御部１０２が、受信した番組ジャンル情報別に高画質調整部１２０のＯＮ／ＯＦＦや音声効果調整部１２１のＯＮ／ＯＦＦを変更する。ここで高画質調整部１２０による高画質化処理は、例えば、映像フレームを補間することでフレームレートを上げる処理、映像のエッジを強調したり番組ジャンル別に彩度を補正する処理、映像のフレームごとの輝度と周波数を解析してコントラスト調整やノイズ低減をする処理等を含む。また、音声効果調整部１２１による高音質化処理は、例えば、サラウンド処理、イコライザー処理、低音域拡張処理等を含む。これにより、高画質／音声効果調整部の演算処理のＯＮ／ＯＦＦ制御が可能となり、番組ジャンル情報別に細やかに消費電流の調整が可能となる。
【００３４】
さらに本発明の他の実施例として、図１０に示すように、番組ジャンル情報別にバックライト輝度が記録されたテーブルを記憶しておき、これに基づいて、制御部１０２が、受信した番組ジャンル情報別に表示部のバックライト輝度を設定する機能を設ける。これにより、ユーザが所望する番組ジャンル情報別にバックライト輝度を設定し、番組ジャンル情報別に細やかに消費電流の調整が可能となる。
【００３５】
本願発明は、例えば、地上デジタル放送受信可能な受信機、受信装置、携帯電話、携帯端末、車載機等に適用することができる。
【００３６】
上述した本発明の実施形態に係る装置は、ＣＰＵが記憶部に格納された動作プログラム等を読み出して実行することにより実現されてもよく、また、ハードウェアで構成されてもよい。上述した実施の形態の一部の機能のみをコンピュータプログラムにより実現することもできる。
【００３７】
以上、好ましい実施の形態をあげて本発明を説明したが、本発明は必ずしも上記実施の形態に限定されるものではなく、その技術的思想の範囲内において様々に変形し実施することが出来る。
【００３８】
上記の実施形態の一部又は全部は、以下の付記のようにも記載されうるが、以下には限られない。
【００３９】
（付記１）
デジタル放送受信装置であって、
ストリームに含まれるＥＩＴを取得し、番組ジャンル情報を解析する番組ジャンル情報解析手段と、
番組ジャンル毎にワンセグ／フルセグ受信種別が設定されている番組ジャンル別動作テーブルを記憶する手段と、
前記番組ジャンル別動作テーブルから、前記番組ジャンル情報解析手段により解析された番組ジャンル情報に対応するワンセグ／フルセグ受信種別を取得し、現在のチューナの受信モードと合致するか判定し、合致しない場合、チューナの受信モードを切り替える受信動作判定手段と、
を備えるデジタル放送受信装置。
【００４０】
（付記２）
番組ジャンル毎に映像デコード部のＯＮ／ＯＦＦ制御情報が記録されている映像制御テーブルをさらに記憶する手段と、
前記映像制御テーブルから、前記番組ジャンル情報解析手段により解析された番組ジャンル情報に対応する映像デコード部のＯＮ／ＯＦＦ制御情報を取得し、当該ＯＮ／ＯＦＦ制御情報に基づいて、映像デコード部を制御する手段と、
を備える付記１に記載のデジタル放送受信装置。
【００４１】
（付記３）
番組ジャンル毎に音声デコード部のＯＮ／ＯＦＦ制御情報が記録されている音声制御テーブルをさらに記憶する手段と、
前記音声制御テーブルから、前記番組ジャンル情報解析手段により解析された番組ジャンル情報に対応する音声デコード部のＯＮ／ＯＦＦ制御情報を取得し、当該ＯＮ／ＯＦＦ制御情報に基づいて、音声デコード部を制御する手段と、
を備える付記１又は付記２に記載のデジタル放送受信装置。
【００４２】
（付記４）
番組ジャンル毎にバックライト輝度が記録されているバックライト輝度制御テーブルをさらに記憶する手段と、
前記バックライト輝度制御テーブルから、前記番組ジャンル情報解析手段により解析された番組ジャンル情報に対応するバックライト輝度を取得し、当該バックライト輝度を設定する手段と、
を備える付記１から付記３のいずれかに記載のデジタル放送受信装置。
【００４３】
（付記５）
番組ジャンル毎に高画質調整部のＯＮ／ＯＦＦ制御情報が記録されている画質制御テーブルをさらに記憶する手段と、
前記画質制御テーブルから、前記番組ジャンル情報解析手段により解析された番組ジャンル情報に対応する高画質調整部のＯＮ／ＯＦＦ制御情報を取得し、当該ＯＮ／ＯＦＦ制御情報に基づいて、高画質調整部を制御する手段と、
を備える付記１から付記４のいずれかに記載ののデジタル放送受信装置。
【００４４】
（付記６）
番組ジャンル毎に音声効果調整部のＯＮ／ＯＦＦ制御情報が記録されている音声制御テーブルをさらに記憶する手段と、
前記音声制御テーブルから、前記番組ジャンル情報解析手段により解析された番組ジャンル情報に対応する音声効果調整部のＯＮ／ＯＦＦ制御情報を取得し、当該ＯＮ／ＯＦＦ制御情報に基づいて、音声効果調整部を制御する手段と、
を備える付記１から付記５のいずれかに記載のデジタル放送受信装置。
【００４５】
（付記７）
デジタル放送受信方法であって、
ストリームに含まれるＥＩＴを取得し、番組ジャンル情報を解析し、
番組ジャンル毎にワンセグ／フルセグ受信種別が設定されている番組ジャンル別動作テーブルから、前記解析された番組ジャンル情報に対応するワンセグ／フルセグ受信種別を取得して、現在のチューナの受信モードと合致するか判定し、
前記取得したワンセグ／フルセグ受信種別と、現在のチューナの受信モードと、が合致しない場合、チューナの受信モードを切り替える
デジタル放送受信方法。
【００４６】
（付記８）
番組ジャンル毎に映像デコード部のＯＮ／ＯＦＦ制御情報が記録されている映像制御テーブルから、前記解析された番組ジャンル情報に対応する映像デコード部のＯＮ／ＯＦＦ制御情報を取得し、当該ＯＮ／ＯＦＦ制御情報に基づいて、映像デコード部を制御する
付記７に記載のデジタル放送受信方法。
【００４７】
（付記９）
番組ジャンル毎に音声デコード部のＯＮ／ＯＦＦ制御情報が記録されている音声制御テーブルから、前記解析された番組ジャンル情報に対応する音声デコード部のＯＮ／ＯＦＦ制御情報を取得し、当該ＯＮ／ＯＦＦ制御情報に基づいて、音声デコード部を制御する
付記７又は付記８に記載のデジタル放送受信方法。
【００４８】
（付記１０）
番組ジャンル毎にバックライト輝度が記録されているバックライト輝度制御テーブルから、前記解析された番組ジャンル情報に対応するバックライト輝度を取得し、当該バックライト輝度を設定する
付記７から付記９のいずれかに記載のデジタル放送受信方法。
【００４９】
（付記１１）
番組ジャンル毎に高画質調整部のＯＮ／ＯＦＦ制御情報が記録されている画質制御テーブルから、前記解析された番組ジャンル情報に対応する高画質調整部のＯＮ／ＯＦＦ制御情報を取得し、当該ＯＮ／ＯＦＦ制御情報に基づいて、高画質調整部を制御する
付記７から付記１０のいずれかに記載ののデジタル放送受信方法。
【００５０】
（付記１２）
番組ジャンル毎に音声効果調整部のＯＮ／ＯＦＦ制御情報が記録されている音声制御テーブルから、前記解析された番組ジャンル情報に対応する音声効果調整部のＯＮ／ＯＦＦ制御情報を取得し、当該ＯＮ／ＯＦＦ制御情報に基づいて、音声効果調整部を制御する
付記７から付記１１のいずれかに記載のデジタル放送受信方法。
【００５１】
（付記１３）
コンピュータに、
ストリームに含まれるＥＩＴを取得し、番組ジャンル情報を解析する処理、
番組ジャンル毎にワンセグ／フルセグ受信種別が設定されている番組ジャンル別動作テーブルから、前記解析された番組ジャンル情報に対応するワンセグ／フルセグ受信種別を取得して、現在のチューナの受信モードと合致するか判定する処理、
前記取得したワンセグ／フルセグ受信種別と、現在のチューナの受信モードと、が合致しない場合、チューナの受信モードを切り替える処理、
を実行させるプログラム。
【００５２】
（付記１４）
前記コンピュータに、
番組ジャンル毎に映像デコード部のＯＮ／ＯＦＦ制御情報が記録されている映像制御テーブルから、前記解析された番組ジャンル情報に対応する映像デコード部のＯＮ／ＯＦＦ制御情報を取得し、当該ＯＮ／ＯＦＦ制御情報に基づいて、映像デコード部を制御する処理
を実行させる付記１３に記載のプログラム。
【００５３】
（付記１５）
前記コンピュータに、
番組ジャンル毎に音声デコード部のＯＮ／ＯＦＦ制御情報が記録されている音声制御テーブルから、前記解析された番組ジャンル情報に対応する音声デコード部のＯＮ／ＯＦＦ制御情報を取得し、当該ＯＮ／ＯＦＦ制御情報に基づいて、音声デコード部を制御する処理
を実行させる付記１３又は付記１４に記載のプログラム。
【００５４】
（付記１６）
前記コンピュータに、
番組ジャンル毎にバックライト輝度が記録されているバックライト輝度制御テーブルから、前記解析された番組ジャンル情報に対応するバックライト輝度を取得し、当該バックライト輝度を設定する処理
を実行させる付記１３から付記１５のいずれかに記載のプログラム。
【００５５】
（付記１７）
前記コンピュータに、
番組ジャンル毎に高画質調整部のＯＮ／ＯＦＦ制御情報が記録されている画質制御テーブルから、前記解析された番組ジャンル情報に対応する高画質調整部のＯＮ／ＯＦＦ制御情報を取得し、当該ＯＮ／ＯＦＦ制御情報に基づいて、高画質調整部を制御する処理
を実行させる付記１３から付記１６のいずれかに記載のプログラム。
【００５６】
（付記１８）
前記コンピュータに、
番組ジャンル毎に音声効果調整部のＯＮ／ＯＦＦ制御情報が記録されている音声制御テーブルから、前記解析された番組ジャンル情報に対応する音声効果調整部のＯＮ／ＯＦＦ制御情報を取得し、当該ＯＮ／ＯＦＦ制御情報に基づいて、音声効果調整部を制御する処理
を実行させる付記１３から付記１７のいずれかに記載のプログラム。
【符号の説明】
【００５７】
１０１    チューナ部
１０２    制御部
１０３    ＣＰＵ
１０４    プログラムメモリ
１０５    ＲＡＭ
１０６    チューナ制御部
１０７    フルセグ受信部
１０８    ワンセグ受信部
１０９    ストリームＤＥＭＵＸ部
１１０    映像デコード部
１１１    番組ジャンル情報解析部
１１２    音声デコード部
１１３    音声処理部
１１４    Ｄ／Ａ変換部
１１５    表示処理部
１１６    表示部
１１７    番組ジャンル別動作テーブル
１１８    受信動作判定部
【図１】
2014165687.tif 000003
【図２】
2014165687.tif 000004
【図３】
2014165687.tif 000005
【図４】
2014165687.tif 000006
【図５】
2014165687.tif 000007
【図６】
2014165687.tif 000008
【図７】
2014165687.tif 000009
【図８】
2014165687.tif 000010
【図９】
2014165687.tif 000011
【図１０】
2014165687.tif 000012